(57)【特許請求の範囲】
【請求項１】
着座者の腰部を支持する腰部支持部を備えた姿勢保持具であって、
前記腰部支持部の裏面側を構成する腰部側ベース部を具備したベース層と、
低反発素材で形成されており、前記ベース層の表面を覆って前記腰部支持部の表面側を構成するクッション層と、
を備え、
前記腰部側ベース部は、硬質樹脂製の腰部側外殻部を有するとともに、左右両端側が左右中央部に比べて前側に位置するように湾曲した湾曲面で形成された表面を有することを特徴とする姿勢保持具。
【請求項２】
前記クッション層は、左右中央部よりも左右両側に厚みが厚い部分を有していることを特徴とする請求項１記載の姿勢保持具。
【発明の詳細な説明】
【技術分野】
【０００１】
本発明は、姿勢保持具に関するものである。
【背景技術】
【０００２】
特許文献１は従来の姿勢保持具を開示している。この姿勢保持具は、着座者の臀部を支持する臀部支持部と、この臀部支持部の一端部に連続して着座者の腰部を支持する腰部支持部とを備えている。この姿勢保持具は発泡ウレタンなどの発泡樹脂から構成されている。この姿勢保持具は、弾性を有しているため、椅子に載置する際、椅子の座面と背もたれ部とのなす角度に応じて変形して的確に載置することができる。また、この姿勢保持具は臀部支持部が着座者の坐骨等を支持する部分が窪んだ表面形状を有している。なお、臀部支持部が着座者の坐骨等を支持するとは、臀部支持部が着座者の臀部に当接し、筋肉や脂肪などを介して坐骨等を支持することを言う（以下同じ。）。また、この姿勢保持具は、腰部支持部が着座者の腸骨等を支持する部分が窪んだ表面形状を有している。なお、腰部支持部が着座者の腸骨等を支持するとは、腰部支持部が着座者の腰部に当接し、筋肉や脂肪などを介して腸骨等を支持することを言う（以下同じ。）。この姿勢保持具は、着座者が正しい姿勢で着座できるように、坐骨や腸骨等を支持することができる。
【先行技術文献】
【特許文献】
【０００３】
【特許文献１】特開２０１４−１２１３０号公報
【発明の概要】
【発明が解決しようとする課題】
【０００４】
しかし、特許文献１の姿勢保持具は、着座者が着座したときに、着座者が正しい姿勢で着座するために適した表面形状を保持する必要がある。つまり、この姿勢保持具の臀部支持部及び腰部支持部は、一定の弾性を有しながらも表面形状を保持することができる硬さを有している。このため、この姿勢保持具は着座者が着座したときに臀部支持部及び腰部支持部が着座者の体型に合わないおそれがある。臀部支持部及び腰部支持部が着座者の体型に合わないと、着座者の臀部及び腰部が部分的に当接し、着座者の体重が当接した部分、特に臀部に集中して、長時間、着座することができないおそれがある。
【０００５】
本発明は上記従来の事情に鑑みてなされたものであって、着座者が楽に正しい姿勢で着座することができる姿勢保持具を提供することを解決すべき課題としている。
【課題を解決するための手段】
【０００６】
本発明の姿勢保持具は、
着座者の腰部を支持する腰部支持部を備えた姿勢保持具であって、
前記腰部支持部の裏面側を構成する腰部側ベース部を具備したベース層と、
低反発素材で形成されており、前記ベース層の表面を覆って前記腰部支持部の表面側を構成するクッション層と、
を備え、
前記腰部側ベース部は、硬質樹脂製の腰部側外殻部を有するとともに、左右両端側が左右中央部に比べて前側に位置するように湾曲した湾曲面で形成された表面を有することを特徴とする。
【０００７】
この姿勢保持具は、ベース層を備えている。このため、この姿勢保持具は、着座者が姿勢保持具に着座した際にクッション層が変形しすぎないように、ベース層がクッション層の変形を規制する。また、この姿勢保持具は、クッション層が低反発素材で形成されているので、着座者が着座したときにクッション層が着座者の体型に合わせて変形する。このため、この姿勢保持具は着座者が正しい姿勢で着座することができる。
【０００８】
なお、姿勢保持具の表面側は着座者が着座した際に臀部や腰部が当接する面側であり、裏面側はその反対面側である（以下、同じ。）。また、左右上下は、着座者が着座するように姿勢保持具を椅子等に載置して腰部支持部を正面に見た状態における左右上下である（以下、同じ。）。また、前後は、着座者が着座するように姿勢保持具を椅子等に載置して臀部支持部を上方から見た状態において、腰部支持部が連続していない臀部支持部の端部側が前であり、腰部支持部側が後である（以下、同じ。）。
【０００９】
また、この姿勢保持具は、クッション層が低反発素材で形成されている。このため、この姿勢保持具は、着座者の腰部にクッション層の表面がぴったりとフィットするため、着座者が正しい姿勢を維持しやすい。また、この姿勢保持具は、着座者が着座した際、着座者の腰部の姿勢保持具側に位置する全体がクッション層の表面に当接して着座者の体圧が分散される。このため、この姿勢保持具は、着座者の体重が臀部に集中せず、着座者が、長時間、着座することができる。また、この姿勢保持具は、低反発素材の衝撃吸収性によって、着座者の負荷がかかりやすい部位を保護し、腰部が優しく包み込まれるような座り心地にすることができる。
【００１０】
したがって、本発明の姿勢保持具は楽に正しい姿勢で着座することができる。
【図面の簡単な説明】
【００１１】
【図１】実施例１の姿勢保持具を示す斜視図である。
【図２】実施例１の姿勢保持具を示す左右中央断面図である。
【図３】実施例１の姿勢保持具を示す分解斜視図である。
【図４】実施例１の外殻部材を示す平面図である。
【図５】図４の矢視Ａ−Ａ断面図である。
【図６】図４の矢視Ｂ−Ｂ断面図である。
【図７】図４の矢視Ｃ−Ｃ断面図である。
【図８】図４の矢視Ｄ−Ｄ断面図である。
【図９】実施例１の中間層を示す斜視図である。
【図１０】実施例１のクッション層を示す平面図である。
【図１１】図１０の矢視Ａ−Ａ断面図である。
【図１２】図１０の矢視Ｂ−Ｂ断面図である。
【図１３】図１０の矢視Ｃ−Ｃ断面図である。
【図１４】図１０の矢視Ｄ−Ｄ断面図である。
【図１５】実施例１の姿勢保持具の組立手順を示し、（I）は外殻部材に第１枠部材を蹴る取り付ける第１工程、（II）中間層を取り付ける第２工程、（III）はクション層を取り付ける第３工程、（IV）は外装シートを取り付ける第４工程、（V）は第２枠部材を取り付ける第５工程である。
【図１６】実施例１の姿勢保持具に着座者が着座した状態を示す断面図である。
【図１７】実施例２の姿勢保持具を示す斜視図である。
【図１８】実施例２の姿勢保持具を示す左右中央断面図である。
【図１９】実施例２の中間層を示す斜視図である。
【図２０】実施例２のクッション層を示す平面図である。
【図２１】図２０の矢視Ａ−Ａ断面図である。
【図２２】図２０の矢視Ｂ−Ｂ断面図である。
【図２３】図２０の矢視Ｃ−Ｃ断面図である。
【図２４】図２０の矢視Ｄ−Ｄ断面図である。
【図２５】実施例２の姿勢保持具に着座者が着座した状態を示す断面図である。
【発明を実施するための形態】
【００１２】
本発明における好ましい実施の形態を説明する。
本発明の姿勢保持具におけるクッション層は、左右中央部よりも左右両側に厚みが厚い部分を有し得る。この場合、この姿勢保持具は、着座者が着座したときにクッション層が着座者の体型に合わせて変形するとともに、腰部支持部の表面が腰部（腸骨や腰椎等）を適正に支持する特定の凹凸形状に変形させることができる。着座者に身長差があっても腸骨、腰椎等の骨の位置は大きく変わらないため、腰部支持部が腰部を適正に支持することができる。このため、この姿勢保持具は着座者が正しい姿勢で着座することができる。
【００１３】
次に、本発明の姿勢保持具を具体化した実施例１及び２について、図面を参照しつつ説明する。
【００１４】
＜実施例１＞
実施例１の姿勢保持具は、図１及び図２に示すように、臀部支持部１と、臀部支持部１の後端部に連続した腰部支持部２とを備えている。臀部支持部１と腰部支持部２は一体に形成されている。この姿勢保持具は椅子Ｃ等に載置した状態で着座者Ｈが着座する（図１６参照）。
【００１５】
臀部支持部１は、肉厚であり、上方から見た形状が略四角形状であり、前端縁１Ａが左右両端から中央に向けて後方に窪んでいる。臀部支持部１は表面形状が全体的に左右中央部よりも左右両端部が上方に膨らんでいる。また、臀部支持部１は前端部の左右中央部がその周囲に比べて上方に僅かに膨らんでいる。
【００１６】
腰部支持部２は、臀部支持部１よりも厚みが厚く、前方から見た形状が略四角形状であり、上端縁２Ａが左右両端から中央に向けて下方に窪んでいる。腰部支持部２は表面形状が全体的に左右中央部よりも左右両端部が前方に膨らんでいる。また、この姿勢保持具は、臀部支持部１と腰部支持部２との境界部分が最も左右幅が狭く、臀部支持部１の後部から腰部支持部２の下部にかけて左右幅がくびれている。また、姿勢保持具は表面形状が臀部支持部１の後部から腰部支持部２の下部にかけて左右中央部が窪んだ中央凹部３を有している。着座者Ｈは中央凹部３に坐骨が嵌まり込むように着座する。姿勢保持具は、着座者Ｈの臀部を臀部支持部１が支持し、着座者Ｈの腰部を腰部支持部２が支持する（図１６参照）。
【００１７】
この姿勢保持具は、図２及び図３に示すように、外殻部材１０、第１枠部材２０、中間層３０、クッション層４０、外装シート５０、及び第２枠部材６０を有している。この姿勢保持具は、外殻部材１０、中間層３０、クッション層４０、及び外装シート５０の４層構造である。この姿勢保持具は、外殻部材１０、第１枠部材２０、及び中間層３０がベース層１００を形成している。ベース層１００は、臀部側ベース部１０１と、臀部側ベース部１０１の後端部に連続した腰部側ベース部１０２とを具備している。臀部側ベース部１０１は臀部支持部１の裏面側を構成し、腰部側ベース部１０２は腰部支持部２の裏面側を構成している。
【００１８】
外殻部材１０は、図３〜図８に示すように、硬質樹脂製の薄板であり、後述するように特定の形状に成形されている。外殻部材１０は、臀部側ベース部１０１の下面を構成する臀部側外殻部１１と、臀部側外殻部１１の後端部に連続し、腰部側ベース部１０２の後面を構成する腰部側外殻部１２を有している。臀部側外殻部１１は、図４に示すように、前端縁１１Ａが左右両端部から中央に向けて後方に窪んでいる。臀部側外殻部１１の前端縁１１Ａは、中央部が後方に膨らんだ湾曲形状であり、中央部から左右両端部にかけて前方に膨らんだ湾曲形状である。また、腰部側外殻部１２は、上端縁１２Ａが左右両端部から中央部に向けて下方に窪んでいる。腰部側外殻部１２の上端縁１２Ａは、中央部が下方に膨らんだ湾曲形状であり、中央部の両端から左右両端部にかけて上方に膨らんだ湾曲形状である。また、外殻部材１０は、臀部側外殻部１１の後部と腰部側外殻部１２の下部にかけて左右幅がくびれている。外殻部材１０の左右両端縁１０Ｌ，１０Ｒは、臀部側外殻部１１の後端部と腰部側外殻部１２の下端部とが連続した部分が内側に膨らんだ湾曲形状であり、内側に膨らんで湾曲している部分の両端１０Ｆ，１０Ｂから臀部側外殻部１１の前端側及び腰部側外殻部１２の上端側が外側に膨らんだ湾曲形状である。外殻部材１０は臀部側外殻部１１と腰部側外殻部１２との境界部分の左右幅が最も狭く形成されている。
【００１９】
外殻部材１０は、図５に示すように、臀部側外殻部１１の後端部と腰部側外殻部１２の下端部とが外方向（図５において斜左下方向）に膨らんだ湾曲面で連続している。臀部側外殻部１１の前後及び左右方向に広がる面１１Ｓと、腰部側外殻部１２の上下及び左右方向に広がる面１２Ｓとは、左右中央断面形状及びこれに平行な断面形状において、略９０度の角度をなす方向に伸びている。
【００２０】
臀部側外殻部１１は、図５及び図６に示すように、前端側の左右中央部１１Ｆが上方向に膨らんでいる。つまり、臀部側外殻部１１は、前端部において、左右中央部１１Ｆの両側に下方に膨らんだ一対の湾曲面１１Ｂ，１１Ｂが前後方向に伸びるように形成されている。また、臀部側外殻部１１は、図５及び図７に示すように、左右両端側に向けて湾曲しながら上方向に伸びている。つまり、臀部側外殻部１１は左右両端部が左右中央部に比べて上側に位置するように湾曲した湾曲面１１Ｃで形成された表面を有している。腰部側外殻部１２は、図５及び図８に示すように、左右両端側に向けて湾曲しながら前方に伸びている。つまり、腰部側外殻部１２は左右両端部が左右中央部に比べて前側に位置するように湾曲した湾曲面１２Ｃで形成された表面を有している。
【００２１】
第１枠部材２０は、図３に示すように、外殻部材１０の外周縁に沿った形状であり、後述する中間層３０の厚みとほぼ同じ一定の幅寸法を有した帯状である。第１枠部材２０は、外殻部材１０に取り付けられると、外殻部材１０の外周縁から一定の高さを有する外周壁面を形成する。
【００２２】
中間層３０は、図３及び図９に示すように、一定の厚みを有する高反発ウレタンフォームで形成されている。この高反発ウレタンフォームは、後述するクッション層４０よりも高反発であり、外殻部材１０よりも低反発である素材である。中間層３０は外周形状が外殻部材１０の外周形状と略同じ形状である。中間層３０は裏面形状が外殻部材１０の表面形状と略同じ形状である。このため、中間層３０は、第１枠部材２０が取り付けられた外殻部材１０に取り付けられる際、外殻部材１０の表面及び第１枠部材２０の内面に隙間なくぴったりと裏面及び外周面を貼り付けることができる。
【００２３】
中間層３０は中央凸部を形成する第１凸部材３３が臀部側ベース部１０１を構成する臀部側中間層３１の前端中央部に貼り付けられている。つまり、第１凸部材３３が臀部側ベース部１０１の前端中央部の表面から上方に突出する。第１凸部材３３は中間層３０と同じ高反発ウレタンフォームで形成されている。第１凸部材３３は前後方向に長い直方体形状である。第１凸部材３３は前後方向の寸法が臀部側中間層３１の前後方向の長さの約１／５である。また、中間層３０は左右凸部を形成する一対の第２凸部材３４，３４が臀部側中間層３１の左右両側に貼り付けられている。つまり、第２凸部材３４，３４が臀部側ベース部１０１の左右両側の表面から上方に突出して前後方向に伸びる。第２凸部材３４、３４は中間層３０と同じ高反発ウレタンフォームで形成されている。第２凸部材３４，３４は臀部側中間層３１の前端部付近から後端部付近まで伸びる四角柱形状である。第２凸部材３４，３４は臀部側中間層３１の後方から前方に向けて左右方向に広がるように取り付けられている。
【００２４】
クッション層４０は、図３及び図１０〜図１４に示すように、後述するように部分的に厚みが異なる低反発素材である低反発ウレタンフォームで形成されている。クッション層４０は外周形状がベース層１００（外殻部材１０、中間層３０）の外周形状と略同じ形状である。クッション層４０は裏面形状がベース層１００（中間層３０）の表面形状と同じ形状である。このため、クッション層４０は、ベース層１００に取り付けられる際、ベース層１００の表面に裏面を隙間なくぴったりと貼り付けることができる。
【００２５】
クッション層４０は、図１１及び図１２に示すように、左右中央部よりも左右両側に厚みが厚い部分を有している。クッション層４０は、臀部支持部１の表面側を構成する臀部側クッション層４１の後端部と、腰部支持部２の表面側を構成する腰部側クッション層４２の下端部とが連続して一体に形成されている。また、クッション層４０は、図１１〜図１４に示すように、臀部側クッション層４１よりも腰部側クッション層４２の厚みが全体的に厚い。着座者Ｈが着座した際、着座者Ｈの体重が臀部側クッション層４１よりも腰部側クッション層４２にかからない。このため、腰部側クッション層４２の厚みを厚くすることによって、かかる体重が小さくても腰部側クッション層４２を大きく変形させて、着座者Ｈの腰部を優しく包み込むような座り心地にすることができる。
【００２６】
また、臀部側クッション層４１は、図１３及び図１４に示すように、左右両端部が左右中央部よりも上側に位置するように湾曲した湾曲面で表面が形成されている。また、腰部側クッション層４２は左右両端部が左右中央部よりも前側に位置するように湾曲した湾曲面で表面が形成されている。つまり、クッション層４０は左右中央部が左右両端部よりも窪んでいる。
【００２７】
臀部側クッション層４１は、図１１に示すように、左右中央部の前端部分４１Ａが前方向に向けて僅かに上方向に傾斜している。また、臀部側クッション層４１は、図１２に示すように、左右中央部の左右両側の前端部分４１Ｂが、前方に向けて厚みを徐々に薄くしつつ、前方に向けて僅かに下方に傾斜している。腰部側クッション層４２は、図１１及び図１２に示すように、上下方向の中央部４２Ａに左右方向に伸びて厚みが厚い部分が形成されている。腰部側クッション層４２は、裏面がほぼ平坦面であり、前面が上下方向の中央部分４２Ａが前方に膨らんでいる。クッション層４０は、図３、図１１、及び図１２に示すように、臀部側クッション層４１の後部から腰部側クッション層４２の下部にかけて表面の左右中央部に形成された凹部４０Ａを形成している。この凹部４０Ａが姿勢保持具の中央凹部３を形成する。
【００２８】
外装シート５０は、図２及び図３に示すように、軟質樹脂製のシートであり、クッション層４０の表面の凹凸形状と同じ凹凸形状に成形されている。このため、外装シート５０は、クッション層４０の表面に取り付けられる際、クッション層４０の表面に裏面を隙間なくぴったりと貼り付けることができる。外装シート５０は、着座者Ｈが着座すると、クッション層４０の変形に伴って変形する。第２枠部材６０は外殻部材１０の外周縁に沿った形状であり、一定の幅を有した帯状である。第２枠部材６０は外装シート５０の外周縁を隠すように取り付けられる。
【００２９】
姿勢保持具は、図１５に示すように、組み立てられる。
まず、図１５（I）に示すように、外殻部材１０の外周縁に第１枠部材２０を取り付けて第１半製品を組み立てる。次に、図１５（II）に示すように、第１半製品の外殻部材１０の表面に中間層３０の裏面を接着して第２半製品を組み立てる。次に、図１５（III）に示すように、第２半製品の中間層３０の表面にクッション層４０の裏面を接着して第３半製品を組み立てる。次に、図１５（IV）に示すように、第３半製品のクッション層４０の表面に外装シート５０の裏面を接着して第４半製品を組み立てる。最後に、図１５（V）に示すように、第４半製品の外装シート５０の外周縁部を隠すように第２枠部材６０を取り付け、姿勢保持具が完成する。
【００３０】
この姿勢保持具は、図２、図３、図１５及び図１６に示すように、外殻部材１０、第１枠部材２０、及び中間層３０によってベース層１００が形成されている。このベース層１００は、臀部側ベース部１０１と腰部側ベース部１０２とを具備している。臀部側ベース部１０１は左右両端部が左右中央部に比べて上側に位置するように湾曲した湾曲面で形成された表面を有している。また、腰部側ベース部１０２は左右両端部が左右中央部に比べて前側に位置するように湾曲した湾曲面で形成された表面を有している。このため、この姿勢保持具は、着座者Ｈが姿勢保持具に着座した際に低反発ウレタンフォームで形成されたクッション層４０が変形しすぎないように、ベース層１００がクッション層４０の変形を規制している。また、この姿勢保持具は、クッション層４０が低反発ウレタンフォームで形成され、左右中央部よりも左右両側に厚みが厚い部分を有している。
【００３１】
このため、この姿勢保持具は、図１６に示すように、着座者Ｈが着座したときにクッション層４０が着座者Ｈの体型に合わせて変形するとともに、臀部支持部１及び腰部支持部２の表面が臀部（坐骨や大腿骨等）及び腰部（腸骨や腰椎等）を適正に支持する特定の凹凸形状に変形させることができる。図１６は、着座者が身長１６０ｃｍの成人を想定したものであるが、着座者に身長差があっても坐骨、大腿骨、腸骨、腰椎等の骨の位置は大きく変わらないため、臀部支持部及び腰部支持部が臀部及び腰部を適正に支持することができる。
つまり、この姿勢保持具は、着座者Ｈが着座すると、次に説明するように、クッション層４０が変形する。
【００３２】
姿勢保持具は、臀部支持部１の後部から腰部支持部２の下部にかけて左右中央部に形成された中央凹部３に坐骨が嵌るように着座者Ｈが着座すると、姿勢保持具の左右中央に臀部が位置することになり、全体的に左右両側よりも左右中央部の方が着座者Ｈの体重がかかる。また、クッション層４０は左右中央部よりも左右両側に厚みが厚い部分を有している。このため、この姿勢保持具は、着座者Ｈが着座すると、クッション層４０が左右両側よりも左右中央部が大きく下方に凹んで、凹凸が大きくなる。
【００３３】
さらに詳しく説明すると、姿勢保持具は、着座者Ｈが着座すると、坐骨が嵌まり込んだ中央凹部３に体重がかかる。この姿勢保持具は、クッション層４０に臀部支持部１の後部から腰部支持部２の下部にかけて表面の左右中央部に凹部４０Ａを形成している。また、左右両側よりも左右中央部分の方がより大きい臀部の圧力（着座者Ｈの体重）が加わる。このため、姿勢保持具は、着座者Ｈが着座すると、中央凹部３が下方に凹んで大きな凹凸を形成する。このように、着座者Ｈが着座することによってクッション層４０が変形して形成された凹凸が、左右にぶれることなく、しっかりと、坐骨を支持し、着座者Ｈの臀部を姿勢保持具の左右中央に位置させた着座姿勢にすることができる。
【００３４】
また、臀部支持部１は、中央凹部３よりも前側において、両大腿部が当接する部分に体重がかかる。臀部支持部１は、臀部側中間層３１に貼り付けられた第１凸部材３３によってベース層１００の中央凸部が形成され、臀部側中間層３１に貼り付けられた第２凸部材３４，３４によってベース層１００の左右凸部が形成されている。さらに、臀部支持部１は、臀部側外殻部１１の前端部において、左右中央部が上方に膨らんでおり、左右中央部の両側に下方に膨らんだ一対の湾曲面１１Ｂ，１１Ｂが前後方向に伸びるように形成されている。このため、臀部支持部１は、着座者Ｈが着座すると、第１凸部材３３（中央凸部）が位置する部分及び第２凸部材３４，３４（左右凸部）が位置する部分の表面が上方向に突出し、その間に位置する両大腿部が当接する部分が凹んで大きな凹凸を形成する。また、臀部支持部１は、中央凹部３よりも前側において、前方へ下り傾斜となり、全体的に前方へ下り傾斜になる。
【００３５】
このように、臀部側外殻部１１の前端部において左右中央部が上方に膨らみ、さらに中央凸部がベース層１００に形成されていることによって、姿勢保持具は、着座者Ｈが着座した際、第１凸部材３３（中央凸部）が位置する部分のクッション層４０の表面が上方向に突出し、この突出した部分で着座者Ｈの骨盤が前方へ滑ることを抑制することができる。また、臀部側外殻部１１の左右中央部の両側が下方に膨らんだ一対の湾曲面１１Ｂ，１１Ｂで形成され、さらに左右凸部がベース層１００に形成されていることによって、姿勢保持具は、着座者Ｈが着座した際、第２凸部材３４，３４（左右凸部）が位置する部分のクッション層４０の表面が上方向に突出し凹凸が形成される。この凹凸が形成された臀部支持部１が左右大腿骨をまっすぐ前方に伸びるように支持することができる。これによって、この姿勢保持具は、骨盤が左右方向にずれることなく支持することができる。
【００３６】
また、腰部支持部２は、中央凹部３よりも上側において、腰部が当接する左右中央部に体重がかかる。腰部側クッション層４２が臀部側クッション層４１よりも全体的に厚いため、腰部支持部２は、着座者Ｈが着座すると、かかる体重が小さくても左右中央部が凹んで大きな凹凸を形成する。このように、着座者Ｈが着座することによってクッション層４０が変形して形成された凹凸が腸骨や腰椎を支持し、着座者Ｈの腰部を姿勢保持具の左右中央に位置させた着座姿勢にすることができる。
【００３７】
このように、この姿勢保持具は、着座者Ｈが着座すると、臀部支持部１及び腰部支持部２の表面が特定の凹凸形状に変形させることができる。特定の凹凸形状とは、中央凹部３が下方に凹んで臀部支持部１の後部から腰部支持部２の下部にかけて形成された凹凸であり、第１凸部材３３（中央凸部）が位置する部分及び第２凸部材３４，３４（左右凸部）が位置する部分の表面が上方向に突出し、その間に位置する両大腿部が当接する部分が凹んで臀部支持部１に形成された凹凸であり、左右中央部が凹んで腰部支持部２に形成された凹凸である。
【００３８】
この姿勢保持具は、着座者Ｈが着座すると、中央凹部３が下方に凹んで臀部支持部１の後部から腰部支持部２の下部にかけて形成された凹凸に坐骨が嵌まり込んで、坐骨をしっかりと支持しやすい。このため、着座者Ｈの腰部（腸骨付近）が腰部支持部２によって前方に押されても骨盤が前方にずれにくい。また、腰部支持部２によって着座者の腰部（腸骨付近）が前方に押され、臀部支持部１が全体的に前方へ下り傾斜しているため、骨盤が前傾しやすくなり、着座者Ｈは横から見て背骨がＳ字状になった正しい姿勢で着座することができる。
【００３９】
この際、この姿勢保持具は、第１凸部材３３（中央凸部）が位置する部分の表面が上方向に突出しているため、この突出した部分で着座者Ｈの骨盤が前方へ滑ることを抑制することができ、臀部支持部１が骨盤を支える坐骨を適切に支持することができる。また、この姿勢保持具は、第１凸部材３３（中央凸部）が位置する部分及び第２凸部材３４，３４（左右凸部）が位置する部分の表面が上方向に突出し、その間に位置する両大腿部が当接する部分が凹んで臀部支持部１に形成された凹凸によって、着座者の左右大腿骨がまっすぐ前方に伸びるように支持することができ、骨盤が左右方向にずれることなく支持することができる。また、この姿勢保持具は、腰部側クッション層４２が臀部側クッション層４１よりも全体的に厚いため、腰部支持部２が大きく変形し、着座者Ｈの腰部を優しく包み込むような座り心地にすることができる。
このように、この姿勢保持具は、着座者Ｈが正しい姿勢で着座することができる。
【００４０】
また、この姿勢保持具は、クッション層４０が低反発ウレタンフォームで形成されている。このため、この姿勢保持具は、着座者Ｈの臀部及び腰部にクッション層４０の表面がぴったりとフィットするため、着座者Ｈが正しい姿勢を維持しやすい。また、この姿勢保持具は、着座者Ｈが着座した際、着座者Ｈの臀部及び腰部の姿勢保持具側に位置する全体がクッション層４０の表面に当接して着座者Ｈの体圧が分散される。このため、この姿勢保持具は、着座者Ｈの体重が臀部に集中せず、着座者Ｈが、長時間、着座することができる。また、この姿勢保持具は、低反発ウレタンフォームの衝撃吸収性によって、着座者Ｈの負荷がかかりやすい部位を保護し、臀部及び腰部が優しく包み込まれるような座り心地にすることができる。
【００４１】
したがって、実施例１の姿勢保持具は楽に正しい姿勢で着座することができる。
【００４２】
＜実施例２＞
実施例２の姿勢保持具は、図１７〜図２５に示すように、中間層２３０に第２凸部材が貼り付けられておらず、第１凸部材３３のみが貼り付けられている点、クッション層２４０の厚みが実施例１に比べて薄い点、及び外装シート２５０の表面を溝状に窪ませた複数条の曲線２５０Ａによって模様が形成されている点が実施例１と相違する。他の構成は実施例１と同様であり、同様の構成は同一の符号を付して詳細な説明を省略する。
【００４３】
中間層２３０は、図１９に示すように、一定の厚みを有する高反発ウレタンフォームで形成されている。中間層２３０は外周形状が外殻部材１０の外周形状と略同じ形状である。中間層２３０は裏面形状が外殻部材１０の表面形状と略同じ形状である。このため、中間層２３０は、第１枠部材２０が取り付けられた外殻部材１０に取り付けられる際、外殻部材１０の表面及び第１枠部材２０の内面に隙間なくぴったりと裏面及び外周面を貼り付けることができる。
【００４４】
中間層２３０は、中央凸部を形成する第１凸部材３３が臀部側ベース部１０１を構成する臀部側中間層２３１の前端中央部に貼り付けられている。つまり、第１凸部材３３が臀部側ベース部１０１の前端中央部の表面から上方に突出している。第１凸部材３３は高反発ウレタンフォームで形成されている。第１凸部材３３は前後方向に長い直方体形状である。第１凸部材３３は前後方向の寸法が臀部側中間層２３１の前後方向の長さの約１／５である。
【００４５】
クッション層２４０は、図２０〜図２４に示すように、全体的に実施例１のクッション層４０よりも厚みが薄く、表面側の凹凸の差が実施例１のクッション層４０よりも大きい。クッション層４０は裏面形状が実施例１のクション層と同じ形状であり、ベース層１００（中間層２３０）の表面形状と同じ形状である。このため、クッション層２４０は、ベース層１００に取り付けられる際、ベース層１００の表面に裏面を隙間なくぴったりと貼り付けることができる。
【００４６】
クッション層２４０は、図２１及び図２２に示すように、左右中央部よりも左右両側に厚みが厚い部分を有している。クッション層２４０は、臀部支持部１の表面側を構成する臀部側クッション層２４１の後端部と、腰部支持部２の表面側を構成する腰部側クッション層２４２の下端部とが連続して一体に形成されている。また、クッション層２４０は、図２１〜図２４に示すように、臀部側クッション層２４１よりも腰部側クッション層２４２の厚みが全体的に厚い。また、臀部側クッション層２４１は、図２３及び図２４に示すように、左右両端部が左右中央部よりも上側に位置するように湾曲した湾曲面で表面が形成されている。また、腰部側クッション層２４２は左右両端部が左右中央部よりも前側に位置するように湾曲した湾曲面で表面が形成されている。つまり、クッション層２４０は左右中央部が左右両端部よりも窪んでいる。
【００４７】
臀部側クッション層２４１は、図２１に示すように、左右中央部の前端部分２４１Ａが前方向に向けて僅かに上方向に傾斜している。また、臀部側クッション層４１は、図２２に示すように、左右中央部の左右両側の前端部分２４１Ｂが、前方に向けて厚みを徐々に薄くしつつ、前方に向けて僅かに下方に傾斜している。腰部側クッション層２４２は、図２１及び図２２に示すように、上下方向の中央部２４２Ａに左右方向に伸びて厚みが厚い部分が形成されている。腰部側クッション層４２は、裏面がほぼ平坦面であり、前面が上下方向の中央部分２４２Ａが前方に膨らんでいる。クッション層２４０は、図２１〜図２４に示すように、臀部側クッション層２４１の後部から腰部側クッション層２４２の下部にかけて表面の左右中央部に形成された凹部２４０Ａを形成している。この凹部２４０Ａが姿勢保持具の中央凹部３を形成する。
【００４８】
外装シート５０は、図１７及び図１８に示すように、軟質樹脂製のシートであり、クッション層４０の表面の凹凸形状と同じ凹凸形状に成形されている。このため、外装シート５０は、クッション層４０の表面に取り付けられる際、クッション層４０の表面に裏面を隙間なくぴったりと貼り付けることができる。また、外装シート５０は表面を溝状に凹ませた複数条の曲線２５０Ａによって模様が形成されている。外装シート５０は、着座者Ｈが着座すると、クッション層４０の変形に伴って変形する。
【００４９】
この姿勢保持具の組み立て手順は実施例１と同じである。
この姿勢保持具も、外殻部材１０、第１枠部材２０、及び中間層２３０によってベース層１００が形成されている。このベース層１００は、臀部側ベース部１０１と腰部側ベース部１０２とを具備している。臀部側ベース部１０１は左右両端部が左右中央部に比べて上側に位置するように湾曲した湾曲面で形成された表面を有している。また、腰部側ベース部１０２は左右両端部が左右中央部に比べて前側に位置するように湾曲した湾曲面で形成された表面を有している。このため、この姿勢保持具は、着座者Ｈが姿勢保持具に着座した際に低反発ウレタンフォームで形成されたクッション層４０が変形しすぎないように、ベース層１００がクッション層４０の変形を規制している。また、この姿勢保持具は、クッション層４０が低反発ウレタンフォームで形成され、左右中央部よりも左右両側に厚みが厚い部分を有している。
【００５０】
このため、この姿勢保持具は、図２５に示すように、着座者Ｈが着座したときにクッション層２４０が着座者Ｈの体型に合わせて変形するとともに、臀部支持部１及び腰部支持部２の表面が臀部（坐骨や大腿骨等）及び腰部（腸骨や腰椎等）を適正に支持する凹凸形状に変形させることができる。図２５も、着座者が身長１６０ｃｍの成人を想定したものであるが、着座者に身長差があっても坐骨、大腿骨、腸骨、腰椎等の骨の位置は大きく変わらないため、臀部支持部及び腰部支持部が臀部及び腰部を適正に支持することができる。
つまり、この姿勢保持具は、着座者Ｈが着座すると、次に説明するように、クッション層２４０が変形する。
【００５１】
姿勢保持具は、臀部支持部１の後部から腰部支持部２の下部にかけて左右中央部に形成された中央凹部３に坐骨が嵌るように着座者Ｈが着座すると、姿勢保持具の左右中央に臀部が位置することになり、全体的に左右両側よりも左右中央部の方が着座者Ｈの体重がかかる。また、クッション層２４０は左右中央部よりも左右両側に厚みが厚い部分を有している。このため、この姿勢保持具は、着座者Ｈが着座すると、クッション層２４０が左右両側よりも左右中央部が大きく下方に凹んで、凹凸が大きくなる。
【００５２】
さらに詳しく説明すると、姿勢保持具は、着座者Ｈが着座すると、坐骨が嵌まり込んだ中央凹部３に体重がかかる。この姿勢保持具は、クッション層２４０に臀部支持部１の後部から腰部支持部２の下部にかけて表面の左右中央部に凹部２４０Ａを形成している。また、左右両側よりも左右中央部分の方がより大きい臀部の圧力（着座者Ｈの体重）が加わる。このため、姿勢保持具は、着座者Ｈが着座すると、中央凹部３が下方に凹んで大きな凹凸を形成する。このように、着座者Ｈが着座することによってクッション層２４０が変形して形成された凹凸が、左右にぶれることなく、しっかりと、坐骨を支持し、着座者Ｈの臀部を姿勢保持具の左右中央に位置させた着座姿勢にすることができる。
【００５３】
また、臀部支持部１は、中央凹部３よりも前側において、両大腿部が当接する部分に体重がかかる。臀部支持部１は、臀部側中間層３１に貼り付けられた第１凸部材３３によってベース層１００の中央凸部が形成されている。さらに、臀部支持部１は、臀部側外殻部１１の前端部において、左右中央部が上方に膨らんでおり、左右中央部の両側に下方に膨らんだ一対の湾曲面１１Ｂ，１１Ｂが前後方向に伸びるように形成されている。このため、臀部支持部１は、着座者Ｈが着座すると、第１凸部材３３（中央凸部）が位置する部分の表面が上方向に突出し、両大腿部が当接する部分が凹んで大きな凹凸を形成する。これは、第１凸部材３３があるのに加えて、両大腿部の圧力が加わるためである。また、臀部支持部１は、中央凹部３よりも前側において、前方へ下り傾斜となり、全体的に前方へ下り傾斜になる。
【００５４】
このように、臀部側外殻部１１の前端部において左右中央部が上方に膨らみ、さらに中央凸部がベース層１００に形成されていることによって、姿勢保持具は、着座者Ｈが着座した際、第１凸部材３３（中央凸部）が位置する部分のクッション層４０の表面が上方向に突出し、この突出した部分で着座者Ｈの骨盤が前方へ滑ることを抑制することができる。また、臀部側外殻部１１の左右中央部の両側が下方に膨らんだ一対の湾曲面で形成されていることによって、姿勢保持具は、着座者Ｈが着座した際、着座者Ｈの左右大腿部の外側の表面が上方向に突出し凹凸が形成される。この凹凸が形成された臀部支持部１が左右大腿骨をまっすぐ前方に伸びるように支持することができる。これによって、この姿勢保持具は、骨盤が左右方向にずれることなく支持することができる。
【００５５】
また、腰部支持部２は、中央凹部３よりも上側において、腰部が当接する左右中央部に体重がかかる。腰部側クッション層２４２が臀部側クッション層２４１よりも全体的に厚いため、腰部支持部２は、着座者Ｈが着座すると、かかる体重が小さくても左右中央部が凹んで大きな凹凸を形成する。このように、着座者Ｈが着座することによってクッション層２４０が変形して形成された凹凸が腸骨や腰椎を支持し、着座者Ｈの腰部を姿勢保持具の左右中央に位置させた着座姿勢にすることができる。
【００５６】
このように、この姿勢保持具は、着座者Ｈが着座すると、臀部支持部１及び腰部支持部２の表面が特定の凹凸形状に変形させることができる。特定の凹凸形状とは、中央凹部３が下方に凹んで臀部支持部１の後部から腰部支持部２の下部にかけて形成された凹凸であり、第１凸部材３３（中央凸部）が位置する部分の表面が上方向に突出し、その両側に位置する両大腿部が当接する部分が凹んで臀部支持部１に形成された凹凸であり、左右中央部が凹んで腰部支持部２に形成された凹凸である。
【００５７】
この姿勢保持具は、着座者Ｈが着座すると、中央凹部３が下方に凹んで臀部支持部１の後部から腰部支持部２の下部にかけて形成された凹凸に坐骨が嵌まり込んで、坐骨をしっかりと支持しやすい。このため、着座者Ｈの腰部（腸骨付近）が腰部支持部２によって前方に押されても骨盤が前方にずれにくい。また、腰部支持部２によって着座者の腰部（腸骨付近）が前方に押され、臀部支持部１が全体的に前方へ下り傾斜しているため、骨盤が前傾しやすくなり、着座者Ｈは横から見て背骨がＳ字状になった正しい姿勢で着座することができる。
【００５８】
この際、この姿勢保持具は、第１凸部材３３（中央凸部）が位置する部分の表面が上方向に突出しているため、この突出した部分で着座者Ｈの骨盤が前方へ滑ることを抑制することができ、臀部支持部１が骨盤を支える坐骨を適切に支持することができる。また、この姿勢保持具は、両大腿部が当接する部分が凹んで臀部支持部１に形成された凹凸によって、着座者の左右大腿骨がまっすぐ前方に伸びるように支持することができ、骨盤が左右方向にずれることなく支持することができる。また、この姿勢保持具は、腰部側クッション層４２が臀部側クッション層４１よりも全体的に厚いため、腰部支持部２が大きく変形し、着座者Ｈの腰部を優しく包み込むような座り心地にすることができる。
このように、この姿勢保持具は、着座者Ｈが正しい姿勢で着座することができる。
【００５９】
また、この姿勢保持具も、クッション層２４０が低反発ウレタンフォームで形成されている。このため、この姿勢保持具は、着座者Ｈの臀部及び腰部にクッション層２４０の表面がぴったりとフィットするため、着座者Ｈが正しい姿勢を維持しやすい。また、この姿勢保持具は、着座者Ｈが着座した際、着座者Ｈの臀部及び腰部の姿勢保持具側に位置する全体がクッション層２４０の表面に当接して着座者Ｈの体圧が分散される。このため、この姿勢保持具は、着座者Ｈの体重が臀部に集中せず、着座者Ｈが、長時間、着座することができる。また、この姿勢保持具は、低反発ウレタンフォームの衝撃吸収性によって、着座者Ｈの負荷がかかりやすい部位を保護し、臀部及び腰部が優しく包み込まれるような座り心地にすることができる。
【００６０】
したがって、実施例２の姿勢保持具も楽に正しい姿勢で着座することができる。
【００６１】
本発明は上記記述及び図面によって説明した実施例１及び２に限定されるものではなく、例えば次のような実施例も本発明の技術的範囲に含まれる。
（１）実施例１及び２では、着座者が着座すると臀部支持部及び腰部支持部の表面が変形して形成される特定の凹凸形状を臀部支持部及び腰部支持部の表面に複数個設けているが、着座者が着座すると臀部支持部及び腰部支持部の表面が変形して形成される特定の凹凸形状は、これらの凹凸の全てを設けなくても少なくとも一個以上設ければよい。
（２）実施例１及び２では、クッション層を低反発ウレタンフォームで形成しているが、低反発素材であれば他の素材でクッション層を形成してもよい。
（３）実施例１及び２では、中間層を高反発ウレタンフォームで形成しているが、クッション層よりも高反発であり、外殻部材よりも低反発である素材であれば、他の素材で中間層を形成してもよい。
（４）実施例１及び２では、外殻部材とクッション層との間に中間層を有しているが、中間層を有していなくてもよい。
（５）実施例１及び２では、ベース部の前端中央部の表面から上方に突出した中央凸部を有しているが、ベース部に中央凸部を有さなくてもよい。
（６）実施例１及び２では、中間層に第１凸部材を貼り付けて中央凸部を形成しているが、中間層と一体的に中央凸部を形成してもよい。
（７）実施例２では、中間層に第２凸部材を貼り付けて左右凸部を形成しているが、中間層と一体的に中央凸部を形成してもよい。
（８）実施例１及び２では、中間層が一定の厚みであるが、中間層は一定の厚みでなくてもよい。
（９）ベース層は、臀部側ベース部の左右両端部が左右中央部に比べて上側に位置するように湾曲した湾曲面で形成された表面を有し、腰部側ベース部の左右両端側が左右中央部に比べて前側に位置するように湾曲した湾曲面で形成された表面を有していれば、ベース層の外形状は、実施例１及び２に示した外形状でなくてもよい。
（１０）クッション層は左右中央部よりも左右両側に厚みが厚い部分を有していれば、クッション層の外形状は、実施例１及び２に示した外形状でなくてもよい。
【符号の説明】
【００６２】
２…腰部支持部
１２…腰部側外殻部
４０，２４０…クッション層
１００…ベース層
１０２…腰部側ベース部
【図１】
0006789366.tif 000002
【図２】
0006789366.tif 000003
【図３】
0006789366.tif 000004
【図４】
0006789366.tif 000005
【図５】
0006789366.tif 000006
【図６】
0006789366.tif 000007
【図７】
0006789366.tif 000008
【図８】
0006789366.tif 000009
【図９】
0006789366.tif 000010
【図１０】
0006789366.tif 000011
【図１１】
0006789366.tif 000012
【図１２】
0006789366.tif 000013
【図１３】
0006789366.tif 000014
【図１４】
0006789366.tif 000015
【図１５】
0006789366.tif 000016
【図１６】
0006789366.tif 000017
【図１７】
0006789366.tif 000018
【図１８】
0006789366.tif 000019
【図１９】
0006789366.tif 000020
【図２０】
0006789366.tif 000021
【図２１】
0006789366.tif 000022
【図２２】
0006789366.tif 000023
【図２３】
0006789366.tif 000024
【図２４】
0006789366.tif 000025
【図２５】
0006789366.tif 000026